(57)【要約】【課題】  広域無線通信システムと狭域無線通信システムが混在するシステムにおいて、ユーザが狭域無線通信システムに接続するための位置や無線伝送パラメータを容易に把握でき、また新たな狭域無線通信システムを新設する際に、混在環境下で既に提供される通信サービスの劣化を生じさせず、より高度な通信サービスを得る。【解決手段】  所定域を有するエリアに無線通信サービスを提供する複数の無線通信システム（狭域無線通信システムと称す）が混在する無線通信システムにおける網サービス情報提供システムにおいて、狭域無線通信システムを新たに設置するための新設要求に応答して、この狭域無線通信システムの新設によって生じる通信サービス品質を推定し、通信サービス品質が所定閾値より低下する場合には、この新設要求を修正した新設条件を提供する。【選択図】      図１１                                                
2005341621.tif 000002
【特許請求の範囲】
【請求項１】
所定域を有するエリアに無線通信サービスを提供する複数の無線通信システム（狭域無線通信システムと称す）が混在する無線通信システムにおける網サービス情報提供システムであって、
前記狭域無線通信システムを新たに設置するための新設要求に応答して、前記狭域無線通信システムの新設によって生じる通信サービス品質を推定し、通信サービス品質が所定閾値より低下する場合には、前記新設要求を修正した新設条件を提供する網サービス情報検出手段を含むことを特徴とする網サービス情報提供システム。
【請求項２】
前記新設要求は、新設する前記狭域無線通信システムによる通信サービスを提供するための基地局の位置を含むことを特徴とする請求項１記載の網サービス情報提供システム。
【請求項３】
前記新設要求は、新設する前記狭域無線通信システムによって通信サービスを提供するエリアを含むことを特徴とする請求項１記載の網サービス情報提供システム。
【請求項４】
前記網サービス情報検出手段は、
前記狭域無線通信システムの各々に関する無線伝送に関する諸元と、前記狭域無線通信システムの各々による通信サービスを提供するための基地局の位置と、電波伝搬に影響を与える構造物や地理的情報とを格納したデーベースと、
前記狭域無線通信システム間の相互無線干渉、無線伝搬損失、遅延歪みを考慮し、前記新設要求に基づいた狭域無線通信システムと既存の前記狭域無線通信システムの各々が提供できる通信サービス品質を推定する手段と、
を有することを特徴とする請求項１〜３いずれか記載の網サービス情報提供システム。
【請求項５】
所定域を有するエリアに無線通信サービスを提供する複数の無線通信システム（狭域無線通信システムと称す）が混在する無線通信システムにおいて、網サービス情報を提供するための網サービス情報提供装置であって、
前記狭域無線通信システムを新たに設置するための新設要求に応答して、前記狭域無線通信システムの新設によって生じる通信サービス品質を推定し、通信サービス品質が所定閾値より低下する場合には、前記新設要求を修正した新設条件を提供する網サービス情報検出手段を含むことを特徴とする網サービス情報提供装置。
【請求項６】
前記新設要求は、新設する前記狭域無線通信システムによる通信サービスを提供するための基地局の位置を含むことを特徴とする請求項５記載の網サービス情報提供装置。
【請求項７】
前記新設要求は、新設する前記狭域無線通信システムによって通信サービスを提供するエリアを含むことを特徴とする請求項５記載の網サービス情報提供装置。
【請求項８】
前記網サービス情報検出手段は、
前記狭域無線通信システムの各々に関する無線伝送に関する諸元と、前記狭域無線通信システムの各々による通信サービスを提供するための基地局の位置と、電波伝搬に影響を与える構造物や地理的情報とを格納したデーベースと、
前記狭域無線通信システム間の相互無線干渉、無線伝搬損失、遅延歪みを考慮し、前記新設要求に基づいた狭域無線通信システムと既存の前記狭域無線通信システムの各々が提供できる通信サービス品質を推定する手段と、
を有することを特徴とする請求項５〜７いずれか記載の網サービス情報提供装置。
【請求項９】
所定域を有するエリアに無線通信サービスを提供する複数の無線通信システム（狭域無線通信システムと称す）が混在する無線通信システムにおける網サービス情報提供方法であって、
前記狭域無線通信システムを新たに設置するための新設要求に応答して、前記狭域無線通信システムの新設によって生じる通信サービス品質を推定し、通信サービス品質が所定閾値より低下する場合には、前記新設要求を修正した新設条件を提供するステップを含むことを特徴とする網サービス情報提供方法。
【請求項１０】
前記新設要求は、新設する前記狭域無線通信システムによる通信サービスを提供するための基地局の位置を含むことを特徴とする請求項９記載の網サービス情報提供方法。
【請求項１１】
前記新設要求は、新設する前記狭域無線通信システムによって通信サービスを提供するエリアを含むことを特徴とする請求項９記載の網サービス情報提供方法。
【請求項１２】
前記狭域無線通信システムの各々に関する無線伝送に関する諸元と、前記狭域無線通信システムの各々による通信サービスを提供するための基地局の位置と、電波伝搬に影響を与える構造物や地理的情報とを格納したデーベースを準備し、
前記狭域無線通信システム間の相互無線干渉、無線伝搬損失、遅延歪みを考慮し、前記新設要求に基づいた狭域無線通信システムと既存の前記狭域無線通信システムの各々が提供できる通信サービス品質を推定するステップを、更に含むことを特徴とする請求項９〜１１いずれか記載の網サービス情報提供方法。
【請求項１３】
所定域を有するエリアに無線通信サービスを提供する複数の無線通信システム（狭域無線通信システムと称す）が混在する無線通信システムにおける網サービス情報提供装置の動作制御方法であって、
前記狭域無線通信システムを新たに設置するための新設要求に応答して、前記狭域無線通信システムの新設によって生じる通信サービス品質を推定し、通信サービス品質が所定閾値より低下する場合には、前記新設要求を修正した新設条件を提供するステップを含むことを特徴とする動作制御方法。
【請求項１４】
前記新設要求は、新設する前記狭域無線通信システムによる通信サービスを提供するための基地局の位置を含むことを特徴とする請求項１３記載の動作制御方法。
【請求項１５】
前記新設要求は、新設する前記狭域無線通信システムによって通信サービスを提供するエリアを含むことを特徴とする請求項１３記載の動作制御方法。
【請求項１６】
前記狭域無線通信システムの各々に関する無線伝送に関する諸元と、前記狭域無線通信システムの各々による通信サービスを提供するための基地局の位置と、電波伝搬に影響を与える構造物や地理的情報とを格納したデーベースを準備し、
前記狭域無線通信システム間の相互無線干渉、無線伝搬損失、遅延歪みを考慮し、前記新設要求に基づいた狭域無線通信システムと既存の前記狭域無線通信システムの各々が提供できる通信サービス品質を推定するステップを有することを特徴とする請求項１３〜１５いずれか記載の動作制御方法。
【請求項１７】
所定域を有するエリアに無線通信サービスを提供する複数の無線通信システム（狭域無線通信システムと称す）が混在する無線通信システムにおける網サービス情報提供装置の動作をコンピュータに実行させるためのプログラムであって、
前記狭域無線通信システムを新たに設置するための新設要求に応答して、前記狭域無線通信システムの新設によって生じる通信サービス品質を推定し、通信サービス品質が所定閾値より低下する場合には、前記新設要求を修正した新設条件を提供する処理を含むことを特徴とするプログラム。
【発明の詳細な説明】
【技術分野】
【０００１】
本発明は網サービス情報提供システム及び網サービス情報提供装置並びにその方法及びその動作制御方法に関し、特に様々な無線通信サービスが混在する環境において、ユーザが必要とするシステムを効率よく通知すると共に、ユーザが新たな無線システムを構築しサービスを提供するために必要な情報を提供する網サービス情報提供方式に関するものである。
【背景技術】
【０００２】
ネットワークの種類として、オペレータが管理する基幹網にユーザが利用する端末の通信を解除する様々な機能を持つインフラストラクチャ（以下、インフラと略記する）型ネットワーク、ユーザが集まって端末同士が直接通信を行うアドホックネットワーク（中継ノードが設けられず、移動する端末のみで一時的にネットワークを構成するネットワークのこと）に分類することができる。更に、これらのネットワークの伝送媒体として無線を考えると、伝送速度が比較的低速であるが広域をカバーできるセルラー無線方式、伝送速度は高速であるがカバーできるエリアが狭い無線ＬＡＮ方式など様々な方式がある。
【０００３】
無線ＬＡＮ方式を用いたシステムは、その高速伝送能力を生かして、駅、空港などの人が集まる場所（ホットスポット）に無線基地局（アクセスポイント）を設置し、インターネットに接続するインフラ型ネットワークとして利用できる。また、セルラー無線方式は、現状の携帯電話システムとして広く利用されており、全国的な広いエリアをカバーし、場所に依存せずどこでも通信できるインフラ型ネットワークとして利用されている。
【０００４】
一方、“Bluetooth （登録商標）”に代表されるように、携帯電話端末とポータブルコンピュータ間などユーザの身辺の機器を接続することを目的とした１０メートル以下のエリアをサポートする近距離無線システムを用いて、ユーザ身辺の機器接続のみならず、近くに存在する他のユーザの端末と自端末を接続し、いわゆるアドホックネットワークを構成することも可能である。
【０００５】
このような様々な無線システムは、図１７に示すように混在することが可能であり、非特許文献１には、ユーザの利用シーンに応じて、最適な無線システムを利用することが示されている。図１７において、１００はインターネット、１０１はセルラーシステムのセル、１０２−１，１０２−２は無線ＬＡＮシステムのセル、１０３−１，１０３−２はアドホックネットワークのセルである。
【０００６】
インターネット１００は、セルラーシステムのセル１０１、無線ＬＡＮシステムのセル１０２−１，１０２−２のインフラとして、相互接続を行う。図において、簡単のためにセルラーシステムのセルとして、１０１の一つのみを示しているが、複数の隣接したセルが存在し、セルラーシステムとして広いエリアをカバーする。
【０００７】
無線ＬＡＮシステムのセル１０２−１，１０２−２は、インターネット１００に接続されており、ユーザが多いホットスポットに対して、高速なインターネット接続サービスを提供する。無線ＬＡＮシステムのセル１０２−１，１０２−２は、例えば、ＩＳＭ（Industrial Scientific Medical ）バンドとして利用されている２．４ＧＨｚ帯の無線ＬＡＮを用いると、認可無しにセルを構成できるため、無線ＬＡＮシステムのセル１０２−１，１０２−２の管理組織は異なっていてもよい。
【０００８】
一方、アドホックネットワーク１０３−１，１０３−２は、インフラであるインターネット１００には接続されず、ローカルの閉じたネットワークを構成している。このような状況において、例えば、インターネット１００にアクセスしたいユーザは、
ａ）無線ＬＡＮシステムのセル１０２−１もしくは１０２−２に接続できる位置にいる場合は、無線ＬＡＮシステムを利用したアクセス、
ｂ）無線ＬＡＮシステムのセル１０２−１もしくは１０２−２以外の場所に移動した場合は、セルラーシステムを利用したアクセス、
というように使い分ける。
【０００９】
また、インターネットのようなインフラを介さずに、身近な他のユーザと通信したい場合は、アドホックネットワーク１０３−１もしくは１０３−２を新たに構築することも可能である。
【００１０】
また、アドホックネットワーク１０３−１，１０３−２とインフラ型ネットワークであるセルラーシステムのセル１０１、無線ＬＡＮシステムのセル１０２−１，１０２−２が混在する場合、アドホックネットワークとインフラ型ネット−ワークの双方、もしくはユーザの希望に則したネットワークに接続したり、新たなアドホックネットワークを構築できる端末として、多様なネットワークとの接続可能性とユーザの希望を考慮して、適切なネットワークへの接続、アドホックネットワークの構築の制御方法がある。
【００１１】
【非特許文献１】総務省・情報通信技術分科会・新世代モバイル委員会報告概要(http://www.joho.soumu.go.jp/policyreports/joho_tsusin/bunkakai/abstract.pdf)
【発明の開示】
【発明が解決しようとする課題】
【００１２】
しかしながら、図１７に示す異種無線システム混在型のネットワークが存在した場合、ユーザに対して提供できるサービスとしては、
１）セルラーシステムを介し、低速ではあるが広域エリアでインターネットアクセス、
２）無線ＬＡＮを介し、ホットスポットに限定されるが高速なインターネットアクセス、
３）既存のアドホックネットワークで行われるローカルな通信サービスへの参加、
４）新規アドホックネットワークを構築し、ローカルな通信サービスの開始、の４点が考えられる。
【００１３】
１）のサービスに関しては、セルラーシステムが広域サービスエリアを持つため、ユーザの位置に依存せず、そのユーザはサービスを受けることができる。一方、２），３）のサービスに関しては、サービスエリア自体が狭いため、サービスを受けることを望むユーザがそのサービスエリアに移動しなければならない。このとき、予め、ユーザが２），３）のサービスエリアを知っていれば容易に移動することが可能である。しかしながら、２）〜４）のサービスに関して、次に示す課題がある。
【００１４】
２）のサービスの場合、無線ＬＡＮの基地局の新設や廃止、建物や構造物の配置換えにより、電波伝搬特生が異なり、そのサービスエリアも変動してしまい、各ユーザが最新の情報を常に持っていることは難しい。また、３）のサービスの場合、ローカルな通信であるため、アドホックネットワークが存在する時間、場所は予め定めることができず、ユーザもそのアドホックネットワークの情報を予め把握することは不可能であるため、偶然参加することができるのみである。更に４）のサービスの場合、新たなアドホックネットワークを構築する際には、その周囲にも他のアドホックネットワークが存在し、相互に干渉を及ぼし全体的なスループット劣化を引き起こす可能性がある。
【００１５】
一方、ユーザに無線ＬＡＮを用いてホットスポットサービスを提供する事業者の観点からみると、ＩＳＭ帯の電波の利用はライセンス制度が採用されていないので、異なる事業者が独立にホットスポットサービスを提供することができる。このように、サービス提供の自由度は高い反面、無秩序にホットスポットが存在すると、ホットスポット間の干渉が生じ結果的にユーザに提供できるスループットが大きく劣化してしまうことが予想される。
【００１６】
本発明の目的は、広域無線通信システムと狭域無線通信システムとが混在する通信システムにおいて、ユーザが狭域無線通信システムに接続するための位置や無線伝送パラメータを容易に把握でき、かつ新たな狭域無線通信システムを新設する場合に、混在環境下で既に提供されている通信サービスの劣化を生じさせることなくより高度な通信サービスを提供することが可能な網サービス情報提供システム及び網サービス情報提供装置並びにその方法及び端末を提供することである。
【課題を解決するための手段】
【００１７】
本発明による網サービス情報提供システムは、所定域を有するエリアに無線通信サービスを提供する複数の無線通信システム（狭域無線通信システムと称す）が混在する無線通信システムにおける網サービス情報提供システムであって、前記狭域無線通信システムを新たに設置するための新設要求に応答して、前記狭域無線通信システムの新設によって生じる通信サービス品質を推定し、通信サービス品質が所定閾値より低下する場合には、前記新設要求を修正した新設条件を提供する網サービス情報検出手段を含むことを特徴とする。
【００１８】
本発明による網サービス情報提供装置は、所定域を有するエリアに無線通信サービスを提供する複数の無線通信システム（狭域無線通信システムと称す）が混在する無線通信システムにおいて、網サービス情報を提供するための網サービス情報提供装置であって、前記狭域無線通信システムを新たに設置するための新設要求に応答して、前記狭域無線通信システムの新設によって生じる通信サービス品質を推定し、通信サービス品質が所定閾値より低下する場合には、前記新設要求を修正した新設条件を提供する網サービス情報検出手段を含むことを特徴とする。
【００１９】
本発明による網サービス情報提供方法は、所定域を有するエリアに無線通信サービスを提供する複数の無線通信システム（狭域無線通信システムと称す）が混在する無線通信システムにおける網サービス情報提供方法であって、前記狭域無線通信システムを新たに設置するための新設要求に応答して、前記狭域無線通信システムの新設によって生じる通信サービス品質を推定し、通信サービス品質が所定閾値より低下する場合には、前記新設要求を修正した新設条件を提供するステップを含むことを特徴とする。
【００２０】
本発明による動作制御方法は、所定域を有するエリアに無線通信サービスを提供する複数の無線通信システム（狭域無線通信システムと称す）が混在する無線通信システムにおける網サービス情報提供装置の動作制御方法であって、前記狭域無線通信システムを新たに設置するための新設要求に応答して、前記狭域無線通信システムの新設によって生じる通信サービス品質を推定し、通信サービス品質が所定閾値より低下する場合には、前記新設要求を修正した新設条件を提供するステップを含むことを特徴とする。
【００２１】
本発明によるプログラムは、所定域を有するエリアに無線通信サービスを提供する複数の無線通信システム（狭域無線通信システムと称す）が混在する無線通信システムにおける網サービス情報提供装置の動作をコンピュータに実行させるためのプログラムであって、前記狭域無線通信システムを新たに設置するための新設要求に応答して、前記狭域無線通信システムの新設によって生じる通信サービス品質を推定し、通信サービス品質が所定閾値より低下する場合には、前記新設要求を修正した新設条件を提供する処理を含むことを特徴とする。
【００２２】
本発明の作用を述べる。本発明では、周囲の建物などの構造物と無線システムの位置、送信電力、周波数といったパラメータを基に、無線伝搬特生を推定することができる無線エリア通知サーバを設け、ホットスポットやアドホックネットワークに関する無線伝搬状況を把握する。この無線エリア通知サーバを核とし、以下のようなサービスを提供する。
【００２３】
すなわち、無線エリア通知サーバとユーザ間の通信は、広域システムであるセルラーシステムを適用することができる。また、ホットスポットによるサービスを利用したいユーザは、無線エリア通知サーバに対して自己位置を通知し、無線エリア通知サーバはそのユーザの位置に近いホットスポットの通信エリアを通知する。これにより、ユーザはホットスポットの存在位置を把握することができる。
【００２４】
更に、無線エリア通知サーバは、既存のアドホックネットワークに参加したいユーザに対しても、同様に、身近に存在するアドホックネットワークに関する情報を提供することができる。更にはまた、新規アドホックネットワークを構築するユーザは、無線エリア通知サーバに自己位置を通知し、無線エリア通知サーバは周囲の干渉状況を勘案し、高いスループットが実現できるように送信電力や利用周波数の推奨値を通知する。また、無線エリア通知サーバは、新規アドホックネットワークが存在することを記憶し、以降のアドホックネットワークに参加したいユーザへの問合せや電波伝搬環境の推定に利用する。
【００２５】
また、無線ＬＡＮによるホットスポットサービス提供事業者は、無線ＬＡＮ基地局の設置予定場所、送信電力、周波数のパラメータを無線エリア通知サーバに通知する。無線エリア通知サーバは、周囲からの干渉や電波到達範囲を推定し、ホットスポットサービス提供事業者に通知する。この情報を用いることで、ホットスポットサービス提供事業者は、スループットの最大化などの最適化基準に基づいてサービスを提供できる。さらに、無線エリア通知サーバは、無線基地局の設置場所を基に、今後のホットスポットサービスの利用を希望するユーザや、他のホットスポット提供事業者に提供する情報を推定するために用いることができる。
【００２６】
このように、無線伝搬特生を推定することができる無線エリア通知サーバを導入することで、無線基地局の新規設置／廃止、アドホックネットワークの出現、建物など構造物の移動など、時々刻々、変動する無線伝搬環境に追随し、タイムリーに適切な異種無線システムを通知することが可能になる。
【発明の効果】
【００２７】
以上述べたように、本発明によれば、広域サービスエリアを持つ無線システム、狭域サービスエリアを持つ無線システム、アドホックサービスを提供する無線システムが混在する状況において、ユーザが希望する適切な無線システムに接続するための情報を提供することが可能となり、ユーザに対するサービス性を向上できるという効果がある。
【００２８】
また、本発明によれば、サービスポリシーの異なる複数のホットスポットサービスオペレータが混在する場合であっても、干渉、伝搬損失、遅延歪みを考慮し、高品質な通信サービスを提供できるように、ホットスポットサービスを提供する基地局配置を示すことが可能になるという効果がある。
【発明を実施するための最良の形態】
【００２９】
本発明の網サービス情報提供方法の実施の形態を、図１のシステム構成を例として、詳細に説明する。図１において、１００はインターネット、１０１はセルラーシステムのセル、１０２−１，１０２−２は無線ＬＡＮシステムのセル、１０３−１，１０３−２はアドホックネットワークのセル、１１０は端末、１１５は無線回線、１２０は測位サーバ、１３０は無線エリア通知サーバである。
【００３０】
インターネット１００は、セルラーシステムのセル１０１、無線ＬＡＮシステムのセル１０２−１，１０２−２のインフラとして、相互接続を行う。図１において、簡単のためにセルラーシステムのセルとして、１０１の一つのみを示しているが、複数の隣接したセルが存在し、セルラーシステムとして広いエリアをカバーする。
【００３１】
無線ＬＡＮシステムのセル１０２−１，１０２−２はインターネット１００に接続されており、ユーザが多いホットスポットに対して、高速なインターネット接続サービスを提供する。無線ＬＡＮシステムのセル１０２−１，１０２−２は、例えば、ＩＳＭバンドとして利用されている２．４ＧＨｚ帯の無線ＬＡＮを用いると、認可無しにセルを構成できるため、無線ＬＡＮシステムのセル１０２−１，１０２−２の管理組織は異なっていてもよい。
【００３２】
一方、アドホックネットワーク１０３−１，１０３−２はインフラであるインターネット１００には接続されず、ローカルの閉じたネットワークを構成している。端末１１０は無線回線１１５を介してセルラーシステムのセル１０１に接続されている。ユーザの端末１１０は、無線ＬＡＮシステムのセル１０２−１，１０２−２、アドホックネットワーク１０３−１，１０３−２のような異なる無線システムでも接続できるように、他の無線システムの通信インタフェースも持つ。また、ユーザは、広域無線通信システムに接続できる端末１１０と無線ＬＡＮシステムのセル１０２−１，１０２−２、アドホックネットワーク１０３−１，１０３−２のような異なる無線システムに接続可能な端末の双方を持っていてもよい。
【００３３】
図２は図１のシステム構成における本願の網サービス情報提供方法の基本シーケンス例である。まず、端末１１０のユーザは、ユーザが必要とする網に関する情報を得るために、網情報要求を端末に指示する（Ｓ１００）。端末１１０は、ユーザからの要求に応じて、端末１１０の位置を測位するために、測位サーバ１２０に対して位置情報要求メッセージを送信する（Ｓ１０１）。測位サーバ１２０は、この位置情報要求メッセージに対する応答として、端末１１０が存在する位置を含む位置情報応答メッセージを端末１１０に送信する（Ｓ１０２）。
【００３４】
端末１１０は、位置情報応答メッセージに含まれる自位置とユーザから入力された網情報要求を合わせて、無線エリア通知サーバ１３０に送信する（Ｓ１０３）。無線エリア通知サーバ１３０は、端末１１０の位置とユーザから要求された網情報要求に基づいて処理を行い（Ｓ１０４）、ユーザに要求される情報を網情報応答メッセージとして端末１１０に応答する（Ｓ１０５）。端末１１０は、網情報応答メッセージを受信すると、ユーザが確認できるように表示する（Ｓ１０６）。なお、図１の例では、測位サーバ１２０を設けているが、端末１１０自身が測位機能を有するものであれば、この測位サーバは設ける必要がない。
【００３５】
この基本シーケンスにおいて、ユーザの網情報要求としては、例えば、
１）より高速伝送を用いたサービスを受けるために身近なホットスポットサービスを利用できる位置の把握（以下、ホットスポット要求）、
２）ユーザの興味と合致し参加可能である身近に存在するアドホックネットワークの把握（以下、アドホック参加要求）、
３）新たなアドホックネットワークを構築するために必要な条件の把握（以下、アドホック構築要求）、
の３つを考える。
【００３６】
ホットスポット要求メッセージとしては、例えば、図３に示すフォーマット形式で実現できる。図３おいて、３００はメッセージ識別子フィールド、３０１は端末位置フィールド、３０２は無線システムプロファイルフィールドである。無線システムプロファイルフィールド３０２には、端末が接続可能な無線システム種別など、ホットスポットに対する要求条件が記述される。
【００３７】
また、アドホック参加要求メッセージ、アドホック構築要求メッセージは、例えば、図４に示すフォーマット形式で実現できる。このメッセージは、図３に示すメッセージに加えて、アドホックプロファイルを示すアドホックプロファイルフィールド３０３を持つ。アドホック参加要求メッセージでは、アドホックプロファイルフィールド３０３に参加したいアドホックネットワークに対する要求条件が記述される。（段落「００４２」に述べるように、この要求条件の一例を図７に示す。）一方、アドホック構築要求メッセージには、構築したいアドホックネットワークに対する条件が記述される。
【００３８】
これらの異なる要求に対する動作の違いは、無線エリア通知サーバ１３０の動作の差に集約される。まず、無線エリア通知サーバ１３０の系統図を示し、これらの３つの場合に関して、詳細に動作を説明する。
【００３９】
図５は無線エリア通知サーバ１３０の実施例を示す系統図である。図５において、２００は入出力端子、２０１はメッセージハンドリング部、２０２はホットスポット要求制御部、２０３はアドホック参加要求制御部、２０４はアドホック構築要求制御部、２０５は電波伝搬推定部、２０６はスイッチ、２１０はデータベース群である。
【００４０】
このデータベース群２１０は、アドホックネットワークデータベース２１０−１、ホットスポットネットワークデータベース２１０−２、地図・構造物データベース２１０−３から構成される。ホットスポットネットワークデータベース２１０−２、アドホックネットワークデータベース２１０−１のそれぞれのデータベースは、例えば、図６，７のように構成できる。
【００４１】
図６は、ホットスポットネットワークデータベース２１０−２の例であり、ホットスポットのセル１０２−１，１０２−２のようなエリアに無線通信サービスを提供する基地局の位置とその基地局の無線プロファイルから構成される。無線プロファイルを構成する事項の例としては、例えば、無線システムの種別を示す無線システム情報、利用する周波数、送信電力、アンテナ指向性等のように、基地局が提供する無線サービスを特徴づけるパラメータが挙げられる。他の事項として、基地局設置高さなどを入れることもできる。
【００４２】
また、図７はアドホックネットワークデータベース２１０−１の例であり、アドホックネットワークのセル１０３−１，１０３−２のようなエリアで開催されるアドホックネットワークの位置（例えば、開催端末の位置）、通信サービスを提供する無線プロファイル、アドホックネットワークを特徴付けるアドホックプロファイルから構成される。無線プロファイルは、図６に示すものと同様の事項で構成することができる。アドホックプロファイルとしては、例えば、アドホックネットワーク内で行われる主たる通信形態（会話、ストリーム、データなど）、参加可否を制御する認証コード、アドホックネットワーク内で共有されるコンテンツ、アドホックネットワークの存在予定時間等がある。アドホックネットワークの開催者の連絡先のような情報を入れることも可能である。
【００４３】
また、地図・構造物データベース２１０−３は、エリアを指定すると、例えば、屋外であればビル、道路など、屋内であれば壁、机等の什器のような構造物の大きさ、配置などの構造物データを出力する。さらに、構造物データには、各構造物の物性データを含むことも可能である。電波伝搬推定部２０５は、データベース２１０からの出力に基づき、電波伝搬環境を推定し、無線システムの干渉特生、無線通信品質を推定して出力する。
【００４４】
このように構成された無線エリア通知サーバ１３０が、上述のホットスポット要求、アドホック参加要求、アドホック構成要求の各メッセージが入力された場合の動作を、図８〜１１のフロートャートに従い説明する。先ず、図８を参照すると、メッセージハンドリング部２０１は、入力端子２００を介してメッセージが入力されると（ステップＳ２０）、入力されたメッセージのメッセージ識別フィールド３００を参照し、ホットスポット要求メッセージ、アドホック参加要求メッセージ、アドホック構築要求メッセージのいずれであるかを判断し（ステップＳ２１）、それぞれ、ホットスポット要求制御部２０２、アドホック参加要求制御部２０３、アドホック構築要求制御部２０４に受信したメッセージを供給する（ステップＳ２２〜２４）。
【００４５】
ホットスポット要求制御部２０２、アドホック参加要求制御部２０３、アドホック構築要求制御部２０４の各々は、入力されたメッセージに基づき、次のようにデータベース群２０１を制御しつつ動作する。
【００４６】
先ず、ホットスポット要求制御部２０２及び電波伝搬推定部２０５の動作につき、図９を参照して説明する。ホットスポット要求制御部２０２はメッセージに含まれる端末位置フィールド３０１と無線プロファイルフィールド３０２とに記述される内容に基づき、ホットスポットネットワークデータベース２１０−２から、例えば、端末を中心に半径５００メートル以内を検索範囲として、その検索範囲内に存在するホットスポットに対する基地局を抽出する（ステップＳ３０）。さらに、抽出した基地局が無線プロファイルフィールド３０２に記述される要求条件に合致する基地局を候補の基地局として出力するようにデータベース２１０を制御する。検索エリアの大きさは、端末から送信されるホットスポット要求メッセージに含めることもできる。
【００４７】
そして、メッセージに含まれる端末位置フィールド３０１に基づき、地図・構造物データベース２１０−３から、検索範囲を含む範囲、例えば、端末を中心にして半径７５０ｍの範囲を推定範囲とし、推定範囲内の構造物に関する大きさ、配置といった構造物データを抽出するようにデータベース２１０を制御する（ステップＳ３１）。この抽出された無線基地局の情報、建物や構造物のデータは、電波伝搬推定部２０５へ供給されてこれ等データに基づき推定範囲の電波伝搬特性が推定される（ステップＳ３２）。この電波伝搬特性の推定方法としては、例えば、周知のレイラウンチング法を使用することができる。この推定結果はメッセージハンドリング部２０１へと出力される（ステップＳ３３）。
【００４８】
アドホック参加要求制御部２０３及び電波伝搬推定部２０５の動作につき、図１０を参照して説明する。先ず、メッセージに含まれる端末位置フィールド３０１、無線プロファイルフィールド３０２、アドホックプロファイルフィールド３０３に記述される内容に基づき、アドホックネットワークデータベース２１０−１から、前述の検索範囲内に存在し、かつ無線システムプロファイルフィールド３０２、アドホックプロファイルフィールド３０３に記述される要求条件に合致するアドホックネットワークを候補のアドホックネットワークとして出力するようにデータベース２１０を制御する（ステップＳ４０）。検索エリアの大きさは、端末から送信されるアドホック参加要求メッセージに含めることもできる。
【００４９】
次に、メッセージに含まれる端末位置フィールド３０１に基づき、地図・構造物データベース２１０−３から、上述の推定範囲内の構造物に関する大きさ、配置といった構造物データを抽出するようにデータベース２１０を制御する（ステップＳ４１）。この抽出されたアドホックネットワークの情報、推定範囲内の建物や構造物のデータは、電波伝搬推定部２０５へ供給されてこれ等データに基づき推定範囲の電波伝搬特性が推定される（ステップＳ４２）。この電波伝搬特性の推定方法としては、例えば、上述した周知のレイラウンチング法を使用することができる。この推定結果はメッセージハンドリング部２０１へと出力される（ステップＳ４３）。
【００５０】
アドホック構築要求制御部２０４及び電波伝搬推定部２０５の動作につき、図１１を参照して説明する。先ず、メッセージに含まれる端末位置フィールド３０１、無線システムプロファイルフィールド３０２、アドホックプロファイルフィールド３０３に記述される内容を、新規構築アドホックネットワーク候補として、アドホックネットワークデータベース２１０−１に追加する（ステップＳ５０）。
【００５１】
そして、メッセージに含まれる端末位置フィールド３０１、無線プロファイルフィールド３０２、アドホックプロファイルフィールド３０３に記述される内容に基づき、ホットスポットネットワークデータベース２１０−２、アドホックネットワークデータベース２１０−１から、前述の検索範囲内に存在し、新規構築アドホックネットワーク候補に干渉を与えうる基地局あるいはアドホックネットワーク、新規構築アドホックネットワーク候補が干渉を与えうる基地局あるいはアドホックネットワークの全てを抽出するようにデータベース２１０を制御する（ステップＳ５１）。このとき、新規構築アドホックネットワーク候補も抽出されることになる。また、スイッチ２０６を制御し、電波伝搬推定部２０５の出力をアドホック構築要求制御部２０４に入力するように制御する（ステップＳ５２）。
【００５２】
次に、この抽出されたアドホックネットワークの情報、推定範囲内の建物や構造物のデータは、電波伝搬推定部２０５へ供給されてこれ等データに基づき推定範囲の電波伝搬特性が推定される（ステップＳ５３）。この電波伝搬特性の推定方法としては、例えば、上述した周知のレイラウンチング法を使用することができる。そして、電波伝搬推定部２０５の出力を評価し、新規構築アドホックネットワーク候補を追加することで発生する他のアドホックネットワーク、ホットスポットへの干渉（与干渉）及び他のアドホックネットワーク、ホットスポットから新規構築アドホックネットワーク候補に生じうる干渉（被干渉）を評価する（ステップＳ５４）。この評価は、干渉（被干渉）量を算出して所定閾値と比較することでなされる。
【００５３】
この評価の結果、新規構築アドホックネットワーク候補を追加しても、被干渉、与干渉の双方が受け入れられる程度のものであれば、新規構築アドホックネットワーク候補を特徴づける端末位置、無線プロファイル、アドホックプロファイルをメッセージハンドリング部２０１へ出力する（ステップＳ５５）。
【００５４】
一方、新規構築アドホックネットワーク候補を追加することで、被干渉あるいは与干渉のいずれかが通信品質を損なうようであれば、端末位置、無線プロファイル、アドホックプロファイルを変更し（ステップＳ５６）、ステップＳ５１の動作へ戻り、再度上記の動作を行う。この変更方法としては、送信電力に制限を設けたり、送信電力を予め定められた値だけ減少させたり、場所を移動させたり、また周波数を予め定められた値だ変化させたりするなどの方法がある。
【００５５】
ホットスポット要求制御部２０２、アドホック参加要求制御部２０３が起動すると、データベース２１０から検索されたデータが電波伝搬推定部２０５へ入力され、推定範囲内に存在するホットスポット、アドホックネットワークに関する干渉状況、電波伝搬特性などの無線通信品質がメッセージハンドリング部２０１へ出力される。メッセージハンドリング部２０１は、入力された無線通信品質に基づき、ホットスポット要求メッセージ、アドホック参加要求メッセージを送信した端末１１０に対して、その端末周辺でサービスが受けられる位置を含むメッセージを網情報応答メッセージとして作成し、入出力端子２００を介して出力する（図８のステップＳ２５参照）。この網情報応答メッセージの情報としては、後述する通信品質情報及び混雑度情報などがある。
【００５６】
これらの網情報応答メッセージを受信した端末１１０は、例えば、端末位置に最も近いホットスポット、アドホックネットワークの位置をユーザに表示する。また、端末１１０は、ホットスポット、アドホックネットワークの狭域な無線通信システムが提供できる通信品質を含めたサービスエリアの状況（通信品質情報）を、例えば、地図情報と重ね合わせて、
高品質エリア：白
低品質エリア：黒
高品質と低品質のボーダーエリア：灰色
のように、視覚的にユーザに表示することもできる。ユーザは、この表示を見ることで、例えば、現在地から最も近いホットスポット、アドホックネットワークを把握することができる。
【００５７】
また、無線エリア通知サーバ１３０は、各ホットスポットの基地局からサービスを提供している端末数を、各基地局に問い合わせることで、ホットスポットの混雑度を推定することができる。アドホックネットワークに関しては、例えば、その開催者に接続者数を問い合わせることで、アドホックネットワークの混雑度を推定することができる。このとき、ホットスポット要求制御メッセージやアドホック参加要求メッセージに対する網情報応答メッセージには、ホットスポットやアドホックネットワークの混雑度を含むことも可能になる。
【００５８】
端末１１０は、混雑度を含む網情報応答メッセージを受信すると、例えば、地図情報と重ね合わせて、
接続数が多く混雑している領域：赤
接続数が少なく空いている領域：青
上記、混雑領域と空いている領域の中間領域：黄
のように、視覚的にユーザに表示することもできる。ユーザは、この表示を見ることで、例えば、混雑している領域を避けて、現在地から最も近いホットスポット、アドホックネットワークを把握することができる。
【００５９】
一方、アドホック構築制御部２０４が起動した場合は、新規構築アドホックネットワーク候補を特徴づける端末位置、無線プロファイル、アドホックプロファイルがメッセージハンドリング部２０１に入力される。メッセージハンドリング部２０１は、これらの情報を網情報応答メッセージとして作成し、入出力端子２００を介して、アドホック構築要求メッセージを送信した端末１１０に出力する。端末１１０は、受信した網情報応答メッセージの内容をユーザに表示し、被干渉、与干渉を与えずに新たにアドホックネットワークを構築するための情報を表示する。
【００６０】
以上の実施の形態において、アドホックネットワークは固定的に存在せず、移動してもかまわない。この場合は、アドホック構成要求メッセージを用いて、新たなアドホックネットワークの構築と捉えることで対処できる。また、ホットスポットネットワークデータベース２１０−２には、基地局の新規設置・除去に伴い動的にデータを変更することも可能である。また、地図・構造物データベース２１０−３も同様に、建物建築、什器の配置換え等に即して、データの内容を更新することができる。これ等ホットスポットネットワークデータベース２１０−２及び地図・構造物データベース２１０−３のデータ更新は、特に図示しないが、更新用の入力端子を別に設けて、この更新用入力端子を用いて、ネットワーク管理者等が、定期的に、又は、ネットワーク構成もしくは構造物が変化した時に、ホットスポットネットワークデータベース２１０−２及び地図・構造物データベース２１０−３のデータを更新することで、データベースの更新が実現できる。また、電波伝搬推定部２０５の出力結果を保存しておき、各種要求メッセージを受信するたびに電波伝搬推定を行わず、保存された出力結果を用いることも可能である。
【００６１】
本発明の第２の実施の形態を図１２のシステム構成を例にして説明する。図１２において、１００はインターネット、１０２−１〜１０２−４はホットスポット無線通信エリア、５００−１〜５００−３はホットスポット通信サービスプロバイダ、５１０は無線エリア通知サーバ、５２０はホットスポット無線通信エリア１０２−１〜１０２−４を含むショッピングモールや空港のような建物である。
【００６２】
ホットスポット無線通信エリア１０２−１〜１０２−４はインターネット１００に接続され、ユーザにインターネット１００への接続サービスを提供する。また、ホットスポット無線通信エリア１０２−１〜１０２−４はホットスポット通信サービスプロバイダ５００−１〜５００−３のいずれかに管理されてもよいし、一つのホットスポット通信サービスプロバイダ、例えば、５００−１で管理されていてもかまわない。
【００６３】
このような状況において、例えば、ホットスポット無線通信プロバイダ５００−１が新たなホットスポット無線通信エリアを追加する場合を考える。このときの基本的なシーケンス例を図１３に示す。ホットスポット無線通信サービスプロバイダ５００−１は、エリアの新設を要求するメッセージを無線通信エリア通知サーバ５０１に送信する（Ｓ２０１）。
【００６４】
エリアの新設を要求するメッセージとしては、例えば、図１４のフォーマットを用いることができる。図１４において、６００はメッセージ識別子フィールド、６１０は設置位置プロファイルフィールド、６２０は無線システムプロファイルフィールドである。エリアの新設を要求するメッセージとしては、ホットスポット基地局要求メッセージ、ホットスポットエリア要求メッセージの２種類を用いることができ、メッセージ識別子フィールド６００は、これらのメッセージを識別するための識別子が入力される。ホットスポット基地局要求メッセージ、ホットスポットエリア要求メッセージのそれぞれは、例えば、以下のように構成することができる。
【００６５】
ホットスポット基地局要求メッセージ：
設置位置構成プロファイルフィールド６１０には、ホットスポット通信サービスを提供するための基地局を設置する位置を入力する。位置としては、北緯３５．２２３４度、東経１３５．２３４４度、海抜３５．８ｍというような絶対的な位置、住所、設置したい建物等の構造物名などを用いることができる。また、無線システムプロファイル領域６２０には、利用する無線システム、利用したい周波数、提供したい伝送速度など、無線システムを特徴付けるパラメータが入力される。
【００６６】
ホットスポットエリア要求メッセージ：
設置位置構成プロファイルフィールド６１０には、ホットスポット通信サービスを提供したいエリアを入力する。エリアとしては、例えば、北緯３５．２２３４度〜３５．２２３５度、東経１３５．２３４４度〜１３５．２３４５度、海抜３５．８ｍ〜３６．８ｍというような絶対的なエリア、住所、サービスエリア内に含まれる建物などの構造物群などを用いることができる。また、無線システムプロファイル領域６２０には、利用する無線システム、利用したい周波数、提供したい伝送速度など、無線システムを特徴付けるパラメータが入力される。
【００６７】
無線通信エリア通信サーバ５１０は、ホットスポット基地局要求メッセージ、ホットスポットエリア要求メッセージを受信すると、これらのメッセージに基づいて処理を開始し、これらの要求メッセージを送信したホットスポット無線通信プロバイダ、例えば、ホットスポット無線通信プロバイダ５００−１に、エリアを新設するための条件を示すためのメッセージ、エリア新設応答メッセージを送信する（Ｓ２０２）。
【００６８】
このメッセージのフォーマットは、例えば、図１４に示すフォーマットで実現できる。メッセージ識別子フィールド６００は、これらのメッセージを識別するための識別子が入力される。ホットスポット基地局応答メッセージ、ホットスポットエリア応答メッセージのそれぞれは、例えば、以下のように構成することができる。設置位置構成プロファイルフィールド６１０には、ホットスポット通信サービスを提供する基地局の設置位置が入力される。位置としては、北緯３５．２２３４度、東経１３５．２３４４度、海抜３５．８ｍというような絶対的な位置、住所、設置したい建物等の構造物名などを用いることができる。
【００６９】
また、無線システムプロファイルフィールド６２０には、利用する無線システム、干渉を考慮し適切なサービス品質を提供できる周波数、提供可能な伝送速度、送信電力など、無線システムを設定するために必要なパラメータが入力される。また、付加情報として、ホットスポットを新設したことによる被干渉・与干渉の情報を付加することも可能である。
【００７０】
無線エリア通知サーバ５１０は、例えば、図１５のように構成することができる。図１５において、７００は入出力端子、７０１はメッセージハンドリング部、７０２はホットスポット基地局要求制御部、７０４はホットスポットエリア要求制御部、７０５は電波伝搬推定部、７０６はスイッチ、７１０はデータベース群であり、ホットスポットネットワークデータベース７１０−１（以下、ホットスポットデータベースと略記する）、地図・構造物データベース７１０−２から構成される。メッセージハンドリング部７０１には、入出力端子７００を介してホットスポット基地局要求メッセージあるいはホットスポットエリア要求メッセージが入力される。
【００７１】
メッセージハンドリング部７０１は、入力されたメッセージのメッセージ識別子フィールド６００を参照し、ホットスポット基地局要求メッセージであればホットスポット基地局要求制御部７０２へ、ホットスポットエリア要求メッセージであればホットスポットエリア要求制御部７０４へ入力されたメッセージを出力する。また、スイッチ７０６を制御して、電波伝搬推定部７０５の出力が、入力されたメッセージがホットスポット基地局要求メッセージであればホットスポット基地局要求制御部７０２へ、ホットスポットエリア要求メッセージであればホットスポットエリア要求制御部７０４へ、それぞれ供給されるようにする。
【００７２】
ホットスポット基地局要求制御部７０２、ホットスポットエリア要求制御部７０４、データベース群７１０、電波伝搬推定部７０５の動作を、図１６のフローを参照して説明する。
【００７３】
プロファイル設定ステップ（Ｓ１）は、ホットスポット基地局要求制御部７０２、ホットスポットエリア要求制御部７０４がメッセージハンドリング部７０１から供給されたホットスポット基地局要求メッセージ、ホットスポットエリア要求メッセージの設置位置プロファイルフィールド６１０、無線システムプロファイルフィールド６２０に記述される内容を読取って、一時記憶メモリであるＲＡＭ等の作業メモリに、設置位置プロファイル、無線システムプロファイルとして一時記憶しておく。
【００７４】
ホットスポットデータベース更新ステップ（Ｓ２）は、入出力端子７００から入力されたメッセージに応じて、ホットスポット基地局要求制御部７０２、ホットスポットエリア要求制御部７０４で行われる。設置位置プロファイル、無線システムプロファイルに示される要求された新設するホットスポットの情報をホットスポットデータベース７１０−１に追加する。ホットスポットデータベース７１０−１は、例えば、図６のように構成することができる。
【００７５】
電波伝搬推定用データ抽出ステップ（Ｓ３）は、入出力端子７００から入力されたメッセージに応じて、ホットスポット基地局要求制御部７０２、ホットスポットエリア要求制御部７０４で行われる。設置位置プロファイルに基づき、電波伝搬推定を行う伝搬推定エリアを求め、地図・構造物データベース７１０−２から伝搬推定エリア内の地図・構造物のデータを抽出して、電波伝搬推定部７０５に出力させる。また、無線システムプロファイルに基づき、ホットスポットの新設により与干渉・被干渉などの影響を与える他のホットスポットに関するデータを抽出し、電波伝搬推定部７０５に出力させる。
【００７６】
電波伝搬推定ステップ（Ｓ４）は、電波伝搬推定用データ抽出ステップＳ４で抽出されたデータに基づいて、電波伝搬推定部７０５が伝搬推定エリア内の電波伝搬状況を推定し、干渉、伝搬ロス、遅延歪みを考慮して、伝搬推定エリア内の通信サービス品質を推定して出力する。
【００７７】
条件判断ステップ（Ｓ５）は、メッセージハンドリング部７０１によって制御されるスイッチ７０６を介して電波伝搬推定ステップＳ４の出力が入力されるホットスポット基地局要求制御部７０２あるいはホットスポットエリア要求制御部７０４で実施される。このステップでは、電波伝搬推定ステップＳ４で推定された新たなホットスポットの新設により生じる通信サービス品質を評価し、十分な通信サービスを提供できるか否かを判定する。十分な通信サービスを提供できるならば応答メッセージ出力ステップＳ６、十分な通信サービスを提供できないならばホットスポットデータベース削除ステップＳ７のステップを行う。この評価は、通信サービス品質と規定された閾値とを比較することにより行われる。
【００７８】
応答メッセージ出力ステップ（Ｓ６）では、条件判断ステップＳ５において十分な通信サービスを提供できると判定された場合、ホットスポット基地局要求制御部７０２あるいはホットスポットエリア要求制御部７０４が、作業領域として保持している設置位置プロファイル、無線システムプロファイルに基づいて、ホットスポット基地局応答メッセージあるいはホットスポットエリア応答メッセージを作成して、メッセージハンドリング部７０１に出力する。
【００７９】
ホットスポットデータベース削除ステップ（Ｓ７）では、条件判断ステップＳ５において十分な通信サービスを提供できないと判定された場合、ホットスポット基地局要求制御部７０２あるいはホットスポットエリア要求制御部７０４が、ＲＡＭ等の作業メモリに保持されている設置位置プロファイル、無線システムプロファイルに基づいてホットスポットデータベース７１０−１に登録したデータを削除する。
【００８０】
設置位置プロファイル・無線システムプロファイル更新ステップ（Ｓ８）では、条件判断ステップＳ５において十分な通信サービスを提供できないと判定された場合、ホットスポット基地局要求制御部７０２あるいはホットスポットエリア要求制御部７０４が、十分な通信サービスを提供できるように、設置位置プロファイル、無線システムプロファイルを修正する。この修正方法としては、上述した図１１のフローのステップＳ５６での方法と同様の方法が用いられ得る。修正後は、ホットスポットデータベース更新ステップＳ２以降のステップを繰返す。      
【００８１】
メッセージハンドリング部７０１は、入出力端子７００を介して、以上の処理によって生成されたホットスポット基地局応答メッセージあるいはホットスポットエリア応答メッセージをホットスポット基地局要求メッセージあるいはホットスポットエリア要求メッセージの送信元であるホットスポットサービスプロバイダ５０１−１へ送信する。
【００８２】
無線エリア通知サーバ７０５では、図１６に示すフローチャートに示されるループ回数の上限を設け、上限を超えた場合には、ホットスポット基地局要求メッセージあるいはホットスポットエリア要求メッセージで要求された新設を拒否するように設定することも可能である。
【００８３】
また、本実施例では、ホットスポットの新設に関して述べたが、ホットスポットの撤去の場合には、ホットスポットデータベース７１０−１から撤去するホットスポットに関するデータを除去することで対応することができる。また、地図・構造物データベース７１０−２は、ビルの新設や壁の増設などの変化に即して、適宜、データの更新を行うことが可能である。
【００８４】
なお、上述した図８〜図１１や図１６の動作フローは、予め記録媒体にこれ等手順をプログラムとして記録しておき、コンピュータにこれを読取らせて実行させることにより動作制御が可能であることは勿論である。
【図面の簡単な説明】
【００８５】
【図１】本発明の第１の実施の形態を説明するシステム構成例である。
【図２】本発明の第１の実施の形態におけるシーケンスの例である。
【図３】ホットスポット要求メッセージのフォーマット例である。
【図４】アドホック参加要求メッセージ、アドホック構築要求メッセージのフォーマット例である。
【図５】無線エリア通知サーバ１３０の実施例を示す系統図である。
【図６】ホットスポットネットワークデータベース２１０−２，７１０−１のデータ構造の例である。
【図７】アドホックネットワークデータベース２１０−２１データ構造の例である。
【図８】本発明の第１の実施の形態の全体的な動作を示すフローチャートである。
【図９】図８のステップＳ２２の処理の詳細を示すフローチャートである。
【図１０】図８のステップＳ２３の処理の詳細を示すフローチャートである。
【図１１】図８のステップＳ２４の処理の詳細を示すフローチャートである。
【図１２】本発明の第２の実施の形態を説明するシステム構成例である。
【図１３】本発明の第２の実施の形態におけるシーケンスの例である。
【図１４】ホットスポット基地局要求メッセージ、ホットスポットエリア要求メッセージ、ホットスポット基地局応答メッセージ、ホットスポットエリア応答メッセージのフォーマット例である。
【図１５】無線エリア通知サーバ５１０の例を示す系統図である。
【図１６】ホットスポット基地局要求制御部７０２、ホットスポットエリア要求制御部７０４、データベース群７１０、電波伝搬推定部７０５の動作例を示すフローチャートである。
【図１７】無線システムが混在したシステムの構成を示す図である。
【符号の説明】
【００８６】
１００  インターネット
１０１  セルラーシステムのセル
１０２−１〜１０２−４  無線ＬＡＮシステムのセルのようなホットスポット                          無線通信エリア
１０３−１，１０３−２  アドホックネットワークのセル
１１０  端末
１１５  無線回線
１２０  測位サーバ
１３０，５１０  無線エリア通知サーバ
２００，７００  入出力端子
２０１，７０１  メッセージハンドリング部
２０２  ホットスポット要求制御部
２０３  アドホック参加要求制御部
２０４  アドホック構築要求制御部
２０５，７０５  電波伝搬推定部
２０６，７０６  スイッチ
２１０，７１０  データベース群
２１０−１  アドホックネットワークデータベース
２１０−２，７１０−１  ホットスポットネットワークデータベース
２１０−３，７１０−２  地図・構造物データベース
７０２  ホットスポット基地局要求制御部
７０４  ホットスポットエリア要求制御部
【図１】
2005341621.tif 000003
【図２】
2005341621.tif 000004
【図３】
2005341621.tif 000005
【図４】
2005341621.tif 000006
【図５】
2005341621.tif 000007
【図６】
2005341621.tif 000008
【図７】
2005341621.tif 000009
【図８】
2005341621.tif 000010
【図９】
2005341621.tif 000011
【図１０】
2005341621.tif 000012
【図１１】
2005341621.tif 000013
【図１２】
2005341621.tif 000014
【図１３】
2005341621.tif 000015
【図１４】
2005341621.tif 000016
【図１５】
2005341621.tif 000017
【図１６】
2005341621.tif 000018
【図１７】
2005341621.tif 000019